(57)【要約】【課題】発熱量が少なく、消費電力も小さいＬＥＤを用いて貯蔵室の照明装置を構成した場合に、ＬＥＤの光で貯蔵室全体を効率良く照明できるような冷蔵庫を得ることを目的とする。【解決手段】開閉可能な扉を介して外部空間と開放又は遮蔽される、貯蔵品を収納するための空間を有する冷蔵室２と、冷蔵室２を照明するための複数の発光ダイオード９を有する照明装置１０と、冷蔵室２内の左右の内側壁１３部分において複数の発光ダイオード９を収容するために、扉６側の側面を傾斜させた傾斜部１３Ｂを形成した凹部１３とを備える。【選択図】図６
2010008017.tif 000002
【特許請求の範囲】
【請求項１】
開閉可能な扉を介して外部空間と開放又は遮蔽される、貯蔵品を収納するための空間を有する貯蔵室と、
前記貯蔵室を照明するための複数の発光ダイオードを有する照明装置と、
前記貯蔵室内の左右の内側壁部分において前記複数の発光ダイオードを収容するために形成した凹部とを備え、
前記凹部は、凹面の前記扉側における面が傾斜していることにより、ドアポケットの食品を照射することを特徴とする冷蔵庫。
【請求項２】
前記左右の内側壁部分において、前記内側壁に対して前記複数の発光ダイオードを取り付ける角度がそれぞれ異なることを特徴とする請求項１記載の冷蔵庫。
【請求項３】
前記左右の内側壁部分において、前記扉側の側面の傾斜角度をそれぞれ異なることを特徴とする請求項１又は２記載の冷蔵庫。
【請求項４】
開閉可能な扉を介して外部空間と開放又は遮蔽される、貯蔵品を収納するための空間を有する貯蔵室と、
前記貯蔵室を照明するための複数の発光ダイオードを有する照明装置と、
前記貯蔵室内の上下方向の内側壁部分において前記複数の発光ダイオードを収容するために形成した凹部とを備え、
前記凹部は、凹面の前記扉側における面が傾斜していることにより、ドアポケットの食品を照射することを特徴とする冷蔵庫。
【請求項５】
前記凹部を、前記貯蔵室内の前記内側壁と一体形成することを特徴とする請求項１〜４のいずれかに記載の冷蔵庫。
【請求項６】
前記傾斜角度を、
前記複数の発光ダイオードの光軸における光度に対して５０％以上の光度で照射する範囲を遮らない角度以上にすることを特徴とする請求項１〜５のいずれかに記載の冷蔵庫。
【請求項７】
前記凹部の凹面の全部又は一部に高反射材料を付すことを特徴とする請求項１〜６のいずれかに記載の冷蔵庫。
【請求項８】
前記発光ダイオードが発した光を屈折させて前記貯蔵室における照射範囲を拡大するためのレンズ部を有するランプカバーを、前記発光ダイオードが発する光の進行方向に設けることを特徴とする請求項１〜７のいずれかに記載の冷蔵庫。
【請求項９】
前記光軸方向の光が前記レンズ部に入射するように前記ランプカバーを設けることを特徴とする請求項８記載の冷蔵庫。
【請求項１０】
前記照明装置を組み付けるための爪を前記ランプカバーに設けることを特徴とする請求項８又は９記載の冷蔵庫。
【請求項１１】
前記貯蔵室内に冷気を送り込むための吹き出し口を前記ランプカバーに一体形成することを特徴とする請求項８〜１０のいずれかに記載の冷蔵庫。
【請求項１２】
庫内の異常を判断する制御手段をさらに備え、
該制御手段は、異常である旨を表示するために前記発光ダイオードを点滅させることを特徴とする請求項１〜１１のいずれかに記載の冷蔵庫。
【請求項１３】
運転状態及び庫内の異常を判断する制御手段をさらに備え、
前記運転状態及び／又は異常を表示するために前記発光ダイオードの光度を変化させることを特徴とする請求項１〜１１のいずれかに記載の冷蔵庫。
【請求項１４】
前記貯蔵室内を開放又は遮蔽する扉は、左右両内側壁とそれぞれヒンジにより連結された観音開き式の扉とし、また、前記照明装置の発光ダイオードは前記貯蔵室内の前記左右両内側壁に配設し、開かれた扉と連結している側の内側壁に配設した発光ダイオードを発光させることを特徴とする請求項１〜３、５〜１３のいずれかに記載の冷蔵庫。
【請求項１５】
前記貯蔵室内を開放又は遮蔽する扉は、前記左右両内側壁とそれぞれヒンジにより連結された観音開き式の扉とし、また、前記照明装置の発光ダイオードは前記貯蔵室内の左右両内側壁に配設し、開かれた扉と連結している側と反対側の内側壁に配設した発光ダイオードを発光させることを特徴とする請求項１〜３、５〜１３のいずれかに記載の冷蔵庫。
【請求項１６】
前記照明装置の上下端部分又は左右端部分の発光ダイオードの数を他の部分よりも多く配設することを特徴とする請求項１〜１５のいずれかに記載の冷蔵庫。
【発明の詳細な説明】
【技術分野】
【０００１】
この発明は、冷蔵庫に関するものである。特に冷蔵庫の貯蔵室の扉を開いた際における室内等の照明に関するものである。
【背景技術】
【０００２】
従来、冷蔵庫の貯蔵室や扉に設けられた貯蔵用のドアポケットの照明装置に白熱電球を用いるのが主流であったが、近年では発熱量、消費電力の点で有利な発光ダイオード（以後、ＬＥＤという）を用いたものが提案されている。
【０００３】
しかし、白熱電球と比べてＬＥＤは発光面積が小さく、指向性が強いため、照射範囲が狭い。そのため、広い貯蔵室を有効に照射するため、白熱電球に比べてＬＥＤを数多く設ける必要があり、白熱電球と同等の貯蔵室内における照度を確保するには、製造コストが高くなる傾向があった。
【０００４】
そこで、発光面積の小ささや、指向特性の強さを補うため、ＬＥＤを用いた照明装置を貯蔵室の後側（奥側）に向け、傾きをもって取り付けた事例が提案されている（例えば、特許文献１参照）。また、照明装置のＬＥＤの光軸方向の光が貯蔵室の積載棚の前寄り方向に入射するように取り付け、積載棚の前寄りの部分を集中的に照射する事例も提案されている（例えば、特許文献２参照）。
【特許文献１】特許第４０５５８０３号公報
【特許文献２】特許第４０５４３６５号公報
【発明の開示】
【発明が解決しようとする課題】
【０００５】
例えば、上述した特許文献１の冷蔵庫では、ＬＥＤを貯蔵室の後側に向けて発光させている。そのため、ＬＥＤによる光を貯蔵室内に集中させることができるが、一方で、貯蔵室の前側（扉側）における照度が少なくなるため、扉に設けた貯蔵用のポケットを有効に照明することができないという課題があった。
【０００６】
また、上述した特許文献２の冷蔵庫では、積載棚の前寄りの部分に光を集中させている。一方で貯蔵室の後側における照度が少なくなるため、貯蔵室の後側が暗くなる。また、最も光度の高い光軸方向の光が積載棚の前縁にあたる。そのため、積載棚の前縁における反射光が強くなり、使用者が眩しく感じてしまうという課題があった。
【０００７】
本発明は、以上のような課題を解決するためになされたものであり、発熱量が少なく、消費電力も小さいＬＥＤを用いて貯蔵室の照明装置を構成した場合に、ＬＥＤの光で貯蔵室全体を効率良く照明できるような冷蔵庫を得ることを目的とする。
【課題を解決するための手段】
【０００８】
本発明の冷蔵庫では、開閉可能な扉を介して外部空間と開放又は遮蔽される、貯蔵品を収納するための空間を有する貯蔵室と、貯蔵室を照明するための複数の発光ダイオードを有する照明装置と、貯蔵室内の左右の内側壁部分において複数の発光ダイオードを収容するために形成した凹部とを備え、凹部は、扉側における側面が傾斜している。
【発明の効果】
【０００９】
本発明によると、貯蔵室を照明するための複数の発光ダイオードを収容するための凹部の側面を傾斜させるようにしたので、凹部により吸収される光の量を減らすことができる。例えば、傾斜角度を大きくすることにより、発光ダイオードが発する光を凹部が遮ることなく、凹部の外側に光を向けることができるため、扉に設けたドアポケット等をさらに効果的に照射することができる。
【発明を実施するための最良の形態】
【００１０】
実施の形態１．
図１は、この発明の実施の形態１における冷蔵庫１の概略側断面図である。本実施の形態では、貯蔵品（食品等）を収納するための空間を有する冷蔵室２、切替室３、野菜室４、冷凍室５など複数の貯蔵室で冷蔵庫１を構成する。また、ヒンジ式の扉６（以下、扉６という）、引き出し式の扉７を有し、各室内と外との間で空間の開放／遮蔽を行う。以下においては、扉６、積載棚８等を有する冷蔵室２について説明するが、これに限定するものではない。
【００１１】
ここで、図１に示すように、冷蔵庫１は略直方体の形状をしているが、冷蔵庫１の設置方向に基づき、扉を有する前側（扉側）の面を前面とし、前面に対する後側（奥側）の面を後面とする。また、図１における上側（天井側）を上面及び下側（床側）を下面とし、その他の２面を側面（ここでは正面からみて左側を左側面とし、右側を右側面とする）とする。そして、扉６で開閉を行う冷蔵室２には、貯蔵品を積載するための複数の積載棚８を上面（下面）に並列となるように配置して冷蔵室２内を区画し、貯蔵品の収納性を高めるようにしている。また、制御手段１００は冷蔵庫１を構成する各手段を制御する。ここでは、主として冷蔵室２内の照明を行うための照明装置１０が有するＬＥＤ９に係る制御を行う。
【００１２】
図２は冷蔵室２の正面図である。図２に示すように、冷蔵室２の内側の壁部分（以下、内側壁１３という）に、例えば白色光等、使用者が貯蔵品を視認できるようにするための可視光を発する複数のＬＥＤ９を光源とする照明装置１０を設置する。本実施の形態においては、内側壁１３において、積載棚８の前縁よりも前側（扉６寄り）の位置に照明装置１０を設けるものとする。また、上下方向に関しては、照明装置１０が有する複数のＬＥＤ９がそれぞれ２つの積載棚８の略中間に位置するように並べる（最上端、最下端は除くものとする）。
【００１３】
図３は一般的なＬＥＤ９の発光特性を表す図である。図３のように、ＬＥＤ９は一般に発光に係る光の指向性が強い。そのためＬＥＤ９の発光面とは垂直となる光軸１２方向に対する光度が最も高く、光軸１２から離れるほど光度が低下する。ここでは、光軸１２における光度に対して５０％以上の光度で照射する範囲をＬＥＤ９の有効照射範囲αとする（ただ、ＬＥＤ９が発した光により有効照射範囲α以外の部分にまったく光を照射することができないことを意味するものではない）。図３では光軸１２方向を０°とした場合に±約５０°が有効照射範囲αに含まれている。また、特に断らない限り、以下、ＬＥＤ９の発光に係る光の方向については、積載棚８に平行な平面における方向を表すものとして説明する（上下方向の光に関して規定するものではないものとする）。
【００１４】
図４は冷蔵室２を上面からみた図である。前述したように扉６は冷蔵室２の前面に設置している。本実施の形態の冷蔵庫１において、冷蔵室２の前面には、それぞれヒンジ（図示せず）により冷蔵庫１の本体と連結し、いわゆる観音開き式の開閉により冷蔵室２の空間を外部に開放／遮蔽するための扉６Ａ及び６Ｂを有する。ここでは、冷蔵庫１に向かって右側にある扉を右扉６Ａとし、左側にある扉を左扉６Ｂとする（特に区別する必要がない場合には扉６として説明する）。また、扉６は内側に、食品収納用のドアポケット１１を有している。また、照明装置１０は、電気回路を構成したプリント基板１６にＬＥＤ９を複数備え付けて構成している。ただし、プリント基板１６部分は冷蔵室２内には露出させない。本実施の形態では、図４に示すように、内側壁１３に対してＬＥＤ９の光軸がなす角度θを６０°より大きい角度となるようにし、さらに、ＬＥＤ９の光軸１２方向の光が積載棚８（特に前縁部分）に直接入射しないような方向にＬＥＤ９を向け、照明装置１０を取り付けている。角度θを６０°より大きくすることで、積載棚８全体を照射する際に、ムラ等をなくし、バランスのよい照射を行うことができる。ここで、例えば角度θを６０°より大きくしても光軸１２方向の光が積載棚８に入射するような場合には、反射光が使用者に眩しさを与えない等の事情がなければ、基本的には光軸１２方向の光が積載棚８に直接入射しないような向きにすることを優先する方が望ましい。また、角度θの上限について限定するものはないが、冷蔵室２内を照明することが主であるため、角度θは９０°以下であることが好ましい。
【００１５】
図５は従来の冷蔵室の上面図である。従来の冷蔵庫においては、内側壁に対するＬＥＤの角度を６０°以下として、ＬＥＤの光軸方向の光を積載棚８の方向に向けているために、冷蔵室２の後側に集中的に光が照射されやすい。そのため、冷蔵室２内を明るく照らすことができるが、ＬＥＤ９による光軸１２方向の光が積載棚８に直接入射することになるため、積載棚８の前縁による反射光が冷蔵庫の使用者の目に強く入射し、眩しく感じてしまう。これに対し、本実施の形態の冷蔵庫１では、ＬＥＤ９が光軸１２方向に発した光が直接積載棚８に入射することが無いので、反射による眩しさを大幅に軽減させることができる。
【００１６】
また、前述したように、照明装置１０の光源であるＬＥＤ９は指向性が強く、光軸１２を中心とした有効照射範囲αにおける光が強く照射される。ここで、内側壁１３に対するＬＥＤ９の光軸１２方向がなす角度θを変化させると、有効照射範囲αも連動して変化する。図５のように従来の冷蔵庫では、内側壁１３に対するＬＥＤ９の光軸１２の角度θを６０°以下として、冷蔵室２内を集中的に照射しているため、開かれた扉６はＬＥＤ９の有効照射範囲αの中に含まれなくなる。このため、扉６の内側に設けているドアポケット１１には、ＬＥＤ９による光の照射が少なく、暗くなってしまう。ドアポケット１１は、飲み物、小物等を収納したり取り出したりするのに非常に便利な収納スペースであるため、使用者の便利を考えるとドアポケット１１を照明できるようにすることが好ましい。
【００１７】
図６は照明装置１０の取り付け部分を冷蔵庫２の上面側からみた図である。上述したように、照明装置１０は、プリント基板１６にＬＥＤ９を複数備え付けた構成である。そして、内側壁１３において、積載棚８の前縁よりも前側（扉６寄り）の位置に、少なくとも照明装置１０のＬＥＤ９を取り付けるための取り付け部となる凹部１３Ａを形成し、凹部１３Ａ内に収まるようにＬＥＤ９（照明装置１０）を取り付けるものとする。そして、凹部１３Ａをランプカバー（シェード）１５で覆っている。ここで、凹部１３Ａの部分を内側壁１３と別の材料で形成するようにしてもよいが、ここでは原材料の減量等を図るために一体形成するものとする。
【００１８】
ランプカバー１５は、少なくとも可視光の範囲において透明な材料の樹脂で成型しており、照明装置１０を勘合させ、一体的に固定するための爪１４等を有している。ただ、照明装置１０の固定については爪１４等の勘合等に限定するものではない。また、ランプカバー１５についても、冷蔵庫２に爪等（図示せず）によって勘合している。また、ランプカバー１５は、入射してきた光を屈折させるためのレンズ部１５Ａを一部に有している。入射してきた光を冷蔵室２の後側（奥側）に導くため、内側壁１３に対して角度を有するようにレンズ部１５Ａを配置する。
【００１９】
例えば、図６（ａ）に示すように、ＬＥＤ９を配置する方向によっては、有効照射範囲αの光の一部が、ランプカバー１５ではなく内側壁１３の凹部１３Ａに入射する可能性がある。入射した光は凹部１３Ａに吸収されてしまうため、照明装置１０からの光を十分に利用することができない。そのため、照明装置１０より前面側に位置するドアポケット１１を十分に照射することができない。
【００２０】
これに対し、図６（ｂ）に示すように、凹部１３Ａの前側（扉側）に傾斜部１３Ｂを設けることにより、傾斜部１３Ｂが有効照射範囲αの光の一部を遮ることなく、内側壁１３により吸収される光の量が低減し、ドアポケット１１を効果的に照射することができる。例えば、傾斜部１３Ｂの傾斜方向と光軸１２とがなす傾斜角度をα／２以上となるようにした場合、有効照射範囲αの光を凹部１３Ａが遮ることなく、凹部１３Ａの外側に向けることができるため、照明装置１０からの光を有効に利用することができる。これにより照明装置１０より前面側に位置するドアポケット１１を十分に照射することができる。さらに、この傾斜部１３Ｂ（凹部１３Ａ）は内側壁１３の一部で構成するため、専用の部品を使用せずにすみ、追加コストの発生なしで実現することが可能である。
【００２１】
また、図６（ｃ）に示すように、傾斜部１３Ｂに光の反射率を高めるための高反射材１３Ｃを付すようにしてもよい。高反射材１３Ｃを付すことにより、図６（ｃ）中、点線の矢印で示した有効照射範囲αの外側の範囲に発せられる出力の小さい光も、凹部１３Ａにおいて吸収されることなく、反射光を凹部１３Ａの外側に向けることができるため、照明装置１０からの光を有効に利用し、ドアポケット１１等をさらに効果的に照射することができる。
【００２２】
以上のように実施の形態１によれば、発熱量が少なく、低消費電力による省エネルギを図ることができるＬＥＤ９を照明に利用する際、冷蔵庫１の冷蔵室２内における左右の内側壁１３に、積載棚８よりも前側（扉６側）となる位置に、複数のＬＥＤ９を上下方向に並べた照明装置１０を設け、各ＬＥＤ９が発する光の光軸１２と内側壁１３とがなす角度を６０°より大きいものとし、また光軸１２方向の光が積載棚８に直接入射しないようにしたので、ＬＥＤ９の光軸１２方向の光が積載棚８の前縁に直接当たることがなく、使用者の眩しさを軽減させることができ、冷蔵室２内の高視認性を確保することができる。また、照明装置１０を冷蔵室２内の後方に傾けすぎて設置することがないため、冷蔵室２の前側、すなわち扉６に設けているドアポケット１１も照射することができる。そのため、例えばドアポケット１１照明用の装置を設ける必要がなく、コスト削減、省エネルギ化に寄与することができる。
【００２３】
また、凹部１３Ａの側面部分に傾斜部１３Ｂを設けるようにしたので、凹部１３Ａにより吸収される光の量を減らすことができる。そして、傾斜部１３Ｂの傾斜方向と光軸１２とがなす傾斜角度をα／２以上となるようにすることで、凹部１３Ａが遮ることなく、凹部１３Ａの外側に光を向けることができるため、ドアポケット１１等をさらに効果的に照射することができる。また、凹部１３Ａの前側（扉側）に高反射材１３Ｃを設けて反射率を高めることにより、有効照射範囲α以外の光も有効に利用することができる等、さらに効率のよい照明を行うことができる。凹部１３Ａを内側壁１３と一体形成するようにしたので、原材料の減量、分別を容易にすることができ、生産工程の簡素化を図ることができる。
【００２４】
実施の形態２．
近年では、例えば図４に示した冷蔵室２のように、左右に配置した扉６の幅を異ならせる形態が増えている。このような形態においては、当然ながら左右の扉６におけるドアポケット１１の長さも異なる。このため、左右のドアポケット１１及び冷蔵室２内の照射を有効に行うために、左右側面の内側壁１３にそれぞれ設けた照明装置１０の取り付け角度及び／又は上述した傾斜部１３Ｂの傾斜角度を、左右のそれぞれで異ならせる方がよい場合も考えられる。
【００２５】
図７は本発明の実施の形態２に係る左右の内側壁１３に取り付けた照明装置１０を有効照射範囲αとともに表した図である。ここで、左側面の内側壁１３の凹部１３Ａに設けた照明装置１０（以下、左側面の照明装置１０という）の取り付け角度（内側壁１３に対してＬＥＤ９の光軸１２がなす角度）をθａ、右側面の内側壁１３の凹部１３Ａに設けた照明装置１０（以下、右側面の照明装置１０という）の取り付け角度をθｂとする。
【００２６】
図７（ａ）に示すように、θａ、θｂともに冷蔵室２内側を効果的に照射することができる角度、例えばθａ、θｂを６５°としてそれぞれ照明装置１０を取り付けた場合、冷蔵室２内側は十分に照射することができるが、左側面側の照明装置１０は、右扉６Ａのドアポケット１１側を十分に照射することができない。また、図７（ｂ）に示すように、θａ、θｂともにドアポケット１１側を効果的に照射することができる角度、例えばθａ、θｂを８５°としてそれぞれ照明装置１０を取り付けた場合、ドアポケット１１側を十分に照射することができるが、冷蔵室２内側を十分に照射することができない。
【００２７】
そこで、図７（ｃ）に示すように、左右一方、例えば左側面の照明装置１０の取り付け角度θａを、右扉６Ａのドアポケット１１側を効果的に照射するために８５°とし、もう一方である右側面の照明装置１０の取り付け角度θｂを、冷蔵室２内側を効果的に照射するための６５°とすると、冷蔵室２内側もドアポケット１１側も十分に照射することが可能となる。
【００２８】
この形態は扉６の幅が左右で異なる場合において非常に有効である。例えば図７に示すように、右扉６Ａの幅の方が左扉６Ｂの幅より長い場合、右側の扉のドアポケット１１を効果的に照射するために、左側面の照明装置１０の取り付け角度θａを、例えば８５°と大きく確保する。一方、左側の扉の幅は右扉６Ａに比べて短いため、左扉６Ｂのドアポケット１１を照射するために必要な右側面の照明装置１０の取り付け角度θｂはθａほど大きくとる必要がない。そこで、θｂは左扉６Ｂのドアポケット１１を照射するのに必要最低限の角度とすることで、照明装置１０が発する光をより多く冷蔵室２内側に照射することが可能となる。これによりドアポケット１１側も冷蔵室２内側も効果的に照射することができる。
【００２９】
図８は冷蔵室２を上面からみた図と左右側面の内側壁１３における凹部１３Ａの傾斜部１３Ｂの状態を表す図である。例えば、図８（ａ）のように、照明装置１０を取り付けた場合、照明装置１０が発する光の有効照射範囲αを考えると、光の半分近くは冷蔵室２内側へ向かい、残りはドアポケット１１の奥側〜中心部あたりまでを照射することになり、右扉６Ａのドアポケット１１全体を十分に照射することができない。図８（ａ）中、点線矢印で示した有効照射範囲αの外側の範囲に発せられる出力が小さい光についても、前面の傾斜により照明装置１０の取り付け位置に対して逆側のドアポケット１１に向かうことができ、左右のドアポケット１１の奥側〜中心部あたりまでの照射を行うことができる。しかし、右扉６Ａについては左扉６Ｂと比べて幅が長いため、特にドアポケット１１の前側が暗くなってしまう。ドアポケット１１全体を効果的に照射するためには、図７（ｃ）のように左右の照明装置１０の取り付け角度を異ならせる方法があるが、側面壁１３の凹部１３Ａにおける傾斜部１３Ｂの傾斜角度を、左右側面で異ならせるようにしてもよい。
【００３０】
また、図８（ｂ）に示すように、例えば、右側面の側面壁１３における傾斜部１３Ｂの傾斜角度を右側はα／２程度（αは有効照射範囲）とし、左側面の側面壁１３における傾斜部１３Ｂはα／２より大きな角度とする。このため、左側面の照明装置１０については図８（ｂ）中、点線矢印で示した有効照射範囲αの外側の範囲に発せられる出力の小さい光を、より多く冷蔵庫１の前面方向に発することが可能となる。したがって、図８（ａ）では、左側面の照明装置１０により点線矢印で示した光出力の小さい光が右扉６Ａの奥側〜中心部までしか照射できなかったのに対し、図８（ｂ）ではその光により右扉６Ａの前側まで照射することができるため、ドアポケット１１側をより効果的に照射することができる。これにより、幅の長い右扉６Ａのドアポケット１１を十分に照射することが可能となる。一方、幅の短い左扉６Ｂのドアポケット１１に対しては過度の照射を抑えることができる。
【００３１】
以上のように、実施の形態２の冷蔵庫によれば、左右の内側壁１３に設けたＬＥＤ９（照明装置１０）を収容する凹部１３Ａにおいて、ＬＥＤ９の取り付け角度を左右でそれぞれ異ならせることにより、これによりドアポケット１１側も冷蔵室２内側も効果的に照射することができる。また、凹部１３Ａの傾斜部１３Ｂの角度についても、傾斜角度をそれぞれ異ならせることにより、ドアポケット１１側も冷蔵室２内側も効果的に照射することができる。
【００３２】
実施の形態３．
図９は冷蔵室２内の天面（上面）に照明装置１０を配置した図である。上述の実施の形態１及び２では、照明装置１０を冷蔵室２内の左右両側面の内側壁１３の前寄りの位置に設ける例を示したが、照明装置１０を取り付ける位置は冷蔵室２内の左右側面に限らず、冷蔵室２の天面、下面に設けるようにしてもよい。
【００３３】
図１０は、冷蔵室２の天面に配置した照明装置１０と取り付け部分とを冷蔵庫２の側面側から見た図である。図１０（ａ）に示すように、冷蔵室２の天面に設けた凹部１３Ａ（内側壁１３の凹部１３Ａと同様であるため、天面に設けた凹部も凹部１３Ａとする）に入射した光は凹部１３Ａに吸収されてしまうため、照明装置１０からの光を十分に利用することができない。
【００３４】
そこで、上述の実施の形態で説明したように、照明装置１０を冷蔵室２の左右側面の前よりの位置に設けた場合と同様に、凹部１３Ａに傾斜部１３Ｂを設ける。これにより、照明装置１０による有効照射範囲αの光が凹部１３Ａにおいて吸収されることなく、ランプカバー１５を介してすべて外側に発することができる。このため、照明装置１０の光を有効に利用することが可能となり、左右側面に設けた場合と同様に、照明装置１０より前面側に位置するドアポケット１１を十分に照射することができる。この場合も凹部１３Ａを内側壁１３と一体形成するようにしてもよい。
【００３５】
実施の形態４．
図１１は本発明の実施の形態４に係るランプカバー１５を用いた場合におけるＬＥＤ９の光の進行方向の変化を示した図である。本実施の形態でも、照明装置１０を取り付けた凹部１３Ａをランプカバー１５で覆っている。ここで、ランプカバー１５は、入射してきた光を屈折させるためのレンズ部１５Ａを一部に有している。入射してきた光を冷蔵室２の後側（奥側）に導くため、内側壁１３に対して角度を有するようにレンズ部１５Ａを配置する。
【００３６】
上述の実施の形態１では、照明装置１０を設ける位置に対してＬＥＤ９の方向を規定することにより、積載棚８による反射光の眩しさを低減させ、ドアポケット１１の照明も行えるようにした。ただ、ＬＥＤ９の有効照射範囲αが積載棚８に占める割合が小さくなるため、冷蔵室２の後側を十分に照明できなくなる懸念が生じる。冷蔵室２内の明るさ低下を補うためには光源となるＬＥＤ９の数量を増やせば良いが、これではコストがあがることになり好ましくない。そこで、本実施の形態ではレンズ部１５Ａを有するランプカバー１５を用いることにより、さらに冷蔵室２全体の明るさの改善を図り、安価な構成で冷蔵室２等の照明を実現する。
【００３７】
図１１（ａ）に示すように、本実施の形態のランプカバー１５において、レンズ部１５Ａの部分に入射した光はレンズ部１５Ａ内で屈折し、冷蔵室２の後側の有効照射範囲αではカバーできない範囲を照射する。一方、レンズ部１５Ａ以外の部分に入射した光は、入射角によって多少の屈折はあるものの、ほぼ直進してドアポケット１１を照射する。これに対し、ランプカバー１５をつけない状態や、レンズ部１５Ａを持たない平らなランプカバー１７を用いた場合は、図１１（ｂ）に示すようにＬＥＤは素の光軸１８のように直進する。このように、レンズ部１５Ａに入射した光が屈折して冷蔵室２の後側に向かって進行するため、ランプカバー１５を設けない場合、レンズ部１５Ａがないランプカバー１７を用いた場合と比較すると、より後側を有効に照射できることになる。
【００３８】
ランプカバー１５によって屈折したＬＥＤ９の光の一部は、積載棚８の方向に向かう。そのため、積載棚８に直接的に光が入射することによって眩しさが懸念される。しかし、ランプカバー１５を透過する際の光度の減衰や、樹脂成型したランプカバー１５の表裏表面がざらつきに基づく光の屈折等の方向の違いによる分散作用により、ＬＥＤ９の素の光軸１８が直接積載棚８に入射する場合に比べると、大幅に眩しさが低減される。
【００３９】
図１２はＬＥＤ９とランプカバー１５との位置関係を表す図である。特に本実施の形態では、光軸１２方向の光がレンズ部１５Ａに入射して冷蔵室２の後側に導かれるような、ＬＥＤ９とランプカバー１５との位置関係となるようにする。ＬＥＤ９の光の屈折を利用するランプカバー１５を使用する場合、ＬＥＤ９の有効照射範囲αとランプカバー１５の前後方向の位置関係が非常に重要になる。図１２（ａ）はＬＥＤ９とランプカバー１５とが適切な位置関係が取れている場合を示している。適切な位置関係が取れている場合は、ＬＥＤ９の光軸１２方向の光がランプカバー１５のレンズ部１５Ａに入射し、冷蔵室２の後側に強い光が導かれる。一方、図１２（ｂ）に示す場合は、光がレンズ部１５Ａに入射せずにほぼ直進しており、本来、冷蔵庫２内を有効に照射するはずの光を無駄にしていることになる。
【００４０】
図１３はランプカバー１５の形状と光の屈折との関係を表す図である。ＬＥＤ９の光をどれくらい屈折させることができるかはレンズ部１５Ａの仕様による。図１３（ａ）に示すランプカバー１５を基準とした場合に、簡単に屈折角を大きくするためには、図１３（ｂ）に示すように、ランプカバー１５のレンズ部１５Ａ（光を屈折させる部分）における樹脂の厚みを増すようにすると良い。ただ、一般的に樹脂の厚みを増しすぎるとヒケ等が発生しやすくなり、所望する型に成型するのが困難になるため、樹脂の厚みは４ｍｍ程度に抑えたい。そこで、ヒケを回避するため、図１３（ｃ）に示すように、レンズ部１５Ａの断面が鋸歯状となる（三角形を複数個持たせる）ようにし、図１３（ｂ）の厚肉で形成している斜面を複数形成するようにしても良い。このとき、図１３（ｄ）に示すように斜面の傾きが大きいほど、斜面の傾きとの関係において光の入射角が小さくなり、屈折が大きくなる。このように斜面の傾き角度によっても屈折角が変わるため、必要に応じた斜面傾きになるように成型すれば、所望のレンズ部１５Ａを有するランプカバー１５が得られる。
【００４１】
図１４は樹脂材料の特徴を表す図である。図１４は５種類の樹脂材料のうち、透過率と材料単価に関する順位を表している。順位が高いほど（数字が小さいほど）、有利であることを表している。例えば、透過率の高さではアクリル、ポリカーボネート（ポリカ）が有利である。透過率によって、冷蔵室２内の明るさが左右されることがあるため、慎重に選定する必要がある。一方、単価面ではポリスチレン（ＰＳ）樹脂、アクリロニトリルとスチレンの共重合化合物（コポリマー）樹脂（ＡＳ樹脂）が優れている。また冷蔵室２の内壁の一部を構成することになるため、耐油、耐食汁性等も考慮する必要がある。
【００４２】
図１５は照明装置１０の冷蔵庫１への組み付け方法を示した図である。例えば図１５（ａ）のように、凹部１３Ａに爪１４を設け、照明装置１０を爪１４に勘合させて、直接冷蔵庫１の本体に組み付ける方法、図１５（ｂ）のようにランプカバー１５に照明装置１０を組み付けた後で冷蔵庫１の本体に組み付ける方法等がある。凹部１３Ａに直接照明装置１０を組み付けると、組み付け時におけるばらつきにより、ＬＥＤ９とランプカバー１５との位置関係に大きくずれが生じてしまい、ＬＥＤ９の有効照射範囲αの光が効率よくレンズ部１５Ａに入射しないことが懸念される。一方、ランプカバー１５に照明装置１０をあらかじめ組み付ける場合は、ＬＥＤ９とランプカバー１５との位置関係に大きなずれを生じることがないので、あらかじめ設定した位置関係でＬＥＤ９の光をレンズ部１５Ａに入射することができ、ランプカバー１５による冷蔵室２内の照明を所望する通りに最大限に引き出すことが可能となる。このため、照明装置１０はあらかじめランプカバー１５に組みつけてから冷蔵庫１に取り付けるようにする方が好ましい。逆に、照明装置１０を内側壁１３に直接組み付ける場合は、照明装置１０とランプカバー１５との位置合わせを適切に行えるような構造にして、ずれをなくすようにする必要がある。以上のように組み付けることで、冷蔵庫１の生産時における歩留まりの向上を図ることができる。
【００４３】
図１６は吹き出し口２６を含めた冷蔵室２の正面図である。冷蔵室２の内側の壁面には、冷蔵室２内に冷気を送り込むための吹き出し口２６を有している。ここで、冷蔵室２の前側、ドアポケット１１に収納した貯蔵品をすばやく冷却するため、図１４では、背面だけでなく、冷蔵室２の左右の内側壁１３の前側にも吹き出し口２６を設けている。このような冷蔵庫に照明装置１０及び前述したランプカバー１５をさらに取り付けようとすると、内側壁１３の前方に吹き出し口２６を構成する部品を取り付けた上、さらに照明装置１０及びランプカバー１５を取り付けることになり、部品の材料費や、製造コストが上昇してしまう。
【００４４】
図１７は吹き出し口２６を有するランプカバー１５を表す図である。図１７のように、内側壁１３に設ける吹き出し口２６をランプカバー１５に一体形成する。一体形成することで、部品に係る使用材料の低減を図ることができ、また、部品点数が減るから製造コストも抑制できる。また、ＬＥＤ９は一般に高温になるほど光度が低くなる特性を有するため、できるだけ低温環境で使用するのが望ましいが、吹き出し口２６からの冷気によってＬＥＤ９を冷却することができる。
【００４５】
一方、ＬＥＤ９は水分に弱い特性を有するため、冷蔵室２内を循環する冷気のような、湿度の高い空気をできるだけＬＥＤ９には直接当てないようにしたい。そこで、図１７に示すように、吹き出し口２６と照明装置１０の間を仕切るための仕切り板２７をランプカバー１５に形成して、照明装置１０を備えた空間と冷気が流れる空間とを遮断する。吹き出し口２６からの冷気が直接ＬＥＤ９に当たらなくても仕切り板２７が冷気で冷やされ、間接的に照明装置１０の周囲の空気が冷やされるため、ＬＥＤ９も冷却することができる。仕切り板２７は場合によってはテープ等で補強し、吹き出し口２６との空気及び水分が流入しないようにする。
【００４６】
以上のように実施の形態４によれば、レンズ部１５Ａを有するランプカバー１５により、ＬＥＤ９が発する光を屈折させて冷蔵室２の後側に進行する光を多くするようにしたので、実施の形態１と同様に、冷蔵庫１の使用者の眩しさ低減及びドアポケット１１の照明を図ることができ、さらに冷蔵室２内の明るさを改善することができる。そして、光源となるＬＥＤ９の数を増やさなくても安価な構成で明るさ改善を実現できる。また、レンズ部１５Ａの形状を所望の形状にすることで、冷蔵室２等の照明具合を変化させることもできる。
【００４７】
また、ランプカバー１５に爪１４等を設け、照明装置１０を直接ランプカバー１５に組み付けてから、凹部１３Ａに組み付けるようにしたので、あらかじめ設定した位置関係でランプカバー１５とＬＥＤ９とを組み付けることができるため、冷蔵室２内の照明を所望する通りに行うことができる。
【００４８】
さらに、冷蔵室２内に冷気を送り込むための吹き出し口２６を一体形成したランプカバー２８を内側壁１３に取り付けるようにすることで、部品に係る使用材料の低減を図ることができる。このとき、吹き出し口２６に流れる冷気によりＬＥＤ９を冷却することができるので、ＬＥＤ９の発熱による周囲温度の上昇により、ＬＥＤ９の光度が低下することなく、維持することができる。さらに、仕切り板２７を設けたランプカバー２９を形成することで、ＬＥＤ９を水分等から有効に保護することができる。
【００４９】
実施の形態５．
図１８は駆動回路例を表す図である。図１８（ａ）に示すように、白熱電球の点灯／消灯は、リレー１９等の機械接点による入／切をして切り替えるのに対し、図１８（ｂ）に示すように、ＬＥＤ９の点灯／消灯はトランジスタ２０などの半導体素子等をスイッチング素子として用いて入／切を行うことができる。そのため、白熱電球に対してＬＥＤ９は、発光（駆動）に係る電圧・電流が非常に小さい。また、ＬＥＤ９の点灯／消灯を切り替えるための駆動部品も比較的安価で、かつ高寿命なものを用いることが可能となる。
【００５０】
また、リレー１９は機械接点のため、スイッチ切り替えができる速さ、耐用回数等に限界があるが、トランジスタ２０等の半導体素子はこの限界をはるかに超えて入／切を行うことができる。このため、点灯／消灯のみならず、点灯／消灯を速い周期で繰り返す点滅表示も容易に行えるようになる。そのため、ＬＥＤ９を光源とした照明装置１０を有する冷蔵庫１において、冷蔵庫１の自己診断異常情報等の教示を、例えば照明装置１０のＬＥＤ９の点滅回数等で表現するようにしても良い。
【００５１】
図１９は、冷蔵庫の扉に設けられた操作パネル２１の例を表す図である。従来の冷蔵庫では、冷蔵庫に設けた制御手段１００が、冷蔵庫に異常が生じたものと判断すると、例えば、図１９（ａ）のように冷蔵庫の扉に設置する操作パネル２１に設けた液晶表示部２２にあらかじめ定めた異常番号を表示したり、図１９（ｂ）のように操作パネル２１に設けた異常表示用ＬＥＤ２３の点滅回数で、例えば温度センサーが正確に検知していない等の自己診断異常情報を表現したりしていた。
【００５２】
図２０はＬＥＤ９の点滅例を表す図である。本実施の形態では、例えば、図１９に示した操作パネル２１における表示に加え、ＬＥＤ９を点滅させることで自己診断異常情報を表示するようにする。例えば、ＬＥＤ９の点滅で「３４」を表すため、制御手段１００は、３回点滅させて０．５秒のブランクの後、さらに４回点滅させ、これを繰り返し行うようにする。
【００５３】
また、同様に、扉６が長時間開いていることを報知するためにＬＥＤ９を点滅させるようにしても良い。扉６を長時間開けると冷蔵室２の冷気が漏れ、貯蔵品の温度が上昇するし、電力も消費する。例えば、扉を閉めたつもりで少しだけ開いてしまっている場合、扉と本体の間に異物が挟まって完全に扉が閉まっていない状態の場合等にも点滅表示は有効である。
【００５４】
以上のように実施の形態５によれば、操作パネル２１に設けた液晶表示部２２、異常表示用ＬＥＤ２３だけでなく、本来冷蔵室２内を照明するために十分な明るさを有するＬＥＤ９を利用して、冷蔵庫１の使用者に異常等の表示を行うようにしたので、冷蔵庫１の使用者に異常等の情報の訴求力をさらに高めることができ、使用者の認知度合いを高くすることができる。
【００５５】
実施の形態６．
上記の実施の形態５で述べた通り、ＬＥＤ９の点灯／消灯の切替えはトランジスタ２０等で行うことが可能である。そのため、さらに短い周期で点灯／消灯を切替えることも可能となる。例えば、数ｋＨｚの周波数で点灯／消灯を繰り返すと、錯覚により、人間は点滅しているようには見えず、光度（明るさ）が低減して見えるようになる。
【００５６】
図２１は明るさと点灯時間との関係を表す図である。図２１に示すように、明るさの度合いは、単位時間（周期）に対する点灯時間の比率（以後、デューティー比という）に比例する。したがって、例えばデューティー比を徐々に増減させることで、光度が少しずつ変化するような視覚効果が得られる。そこで、実施の形態５では自己診断異常情報をＬＥＤ９を単に点滅させることで表示したが、本実施の形態では、デューティー比を調整することによって光度を変化させて表示するようにする。
【００５７】
図２２は自己診断異常情報とデューティー比の調整との関係を表す図である。例えばＬＥＤ９を単に点滅させた場合、点灯時と消灯時とにおける明るさの変化が激しいため、冷蔵庫の使用者は驚いてしまう可能性がある。しかしながら、図２２に示すように、完全に消灯させるのではなく、光度を徐々に増減させていき、点灯パターンを変化させるようにすれば、使用者を驚かせることなく、異常等を報知することが可能である。
【００５８】
また、デューティー比の調整による明るさの調整で自己診断異常を表示する例を挙げたが、デューティー比の調整によるＬＥＤ９の光度の調整を、冷蔵庫の使用者の好みに応じて選択できる機能に利用しても良い。例えば図１９における操作パネル２１から照明装置１０の明るさの調整指示を行えるようにして冷蔵庫１の使用者が任意にＬＥＤ９の光度を設定できるようにする。例えば、周辺が明るい場所において冷蔵庫１を使用する場合は、外部の光が冷蔵室２内に入射し、ＬＥＤ９による光をそれほど必要としないため、ＬＥＤ９が発光する光度のレベルを下げて使用する。また、例えば、冷蔵室の室内の貯蔵品を整理する等、冷蔵室２内を明るく照らしたい等のような場合には、光度のレベルを上げるなどすれば、よりいっそうの消費電力の低減効果が期待できる。
【００５９】
以上のように実施の形態６によれば、ＬＥＤ９を発光させる際、デューティ比を調整するようにし、点滅でなく、ＬＥＤ９の光度を増減させることにより、使用者を驚かせることなく、異常等を報知することができる。また、使用者が設定変更等を行うことが可能であるため、便利である。
【００６０】
実施の形態７．
図２３は実施の形態７に係る冷蔵庫１の正面図を表す図である。図２３において、上述した図と同じ番号を付しているものについては、上述した実施の形態において説明したものと同様であるため説明を省略する。本実施の形態の冷蔵庫１は、右扉６Ａ、左扉６Ｂがそれぞれ開かれたかどうかを検知するための検知手段となるドアスイッチ２４Ａ、２４Ｂを有しているものとする。
【００６１】
例えば、冷蔵室２に向かって左側に入れた貯蔵品を取り出すときは、使用者は左扉６Ｂのみを開けば取り出せるし、右側に入れた食品を取り出すときには右扉６Ａのみを開けば良い。扉を大きく開放すると、冷蔵室２内の冷気の流出量が多くなるため、消費電力の増加につながる。そこで、右扉６Ａ又は左扉６Ｂのうち、どちらかを開くことで、貯蔵品を取り出す際の扉の開放をできる限り小さくすることができ、無駄な電力消費を抑制することができる。そこで、右扉６Ａ又は左扉６Ｂのどちらの扉が開かれても、冷蔵室２内に設置した照明装置１０のＬＥＤ９を発光させて、冷蔵室２内を照明する必要があるため、図２３に示すように、ドアスイッチ２４Ａ、２４Ｂをそれぞれ設置している。制御手段１００はドアスイッチ２４Ａ、２４Ｂから送信される信号に基づいて、右扉６Ａ、左扉６Ｂが開かれたことを判断し、照明装置１０に対応した照明を行わせる。
【００６２】
本実施の形態は、右扉６Ａ又は左扉６Ｂを有する冷蔵庫１Ａに、上述の実施の形態で説明したＬＥＤ９を光源とする照明装置１０を設置した場合に、さらに無駄な電力消費を抑制するようにしたものである。例えば左扉６Ｂを開けて取り出そうとする貯蔵品は、扉を開けて見える範囲である冷蔵室２の左側に収納されている。逆に、右扉６Ａを開けて貯蔵品を取り出す場合も同様である。したがって、開けた扉から見える範囲で冷蔵室２内を照明することができれば必要十分な効果が得られることになる。
【００６３】
図２４は実施の形態５に係るＬＥＤ９による冷蔵室２内の照明について表す図である。図２４（ａ）に示すように、左扉６Ｂを開けた場合は左側の内側壁１３に設置した照明装置１０のＬＥＤ９のみを点灯し、逆に、図２４（ｂ）に示すように、右扉６Ａを開けた場合は右側の内側壁１３に設置した照明装置１０のＬＥＤ９のみを点灯する。また、図２４（ｃ）に示すように、右扉６Ａ及び左扉６Ｂを共に開いた場合は、左右両方の内側壁１３に設置した照明装置１０のＬＥＤ９を点灯することで冷蔵室２全体を照明することができる。上述したように安価で長寿命な半導体素子によりＬＥＤ９の点灯／消灯に係るスイッチの入／切を行うことができるため、左右の内側壁１３における照明装置１０を別々に点灯／消灯させても、コストアップの心配がない。
【００６４】
以上のように実施の形態７によれば、右扉６Ａ、左扉６Ｂを有する冷蔵庫１において、例えば、右扉６Ａ又は左扉６Ｂのどちらか一方が開かれたときに、開かれた扉側の内側壁１３に設置した照明装置１０のＬＥＤ９のみを点灯して、必要な箇所だけ照明するようにしたので、必要以上の電力消費を防ぎ、消費電力が低い冷蔵庫１を得ることができる。
【００６５】
実施の形態８．
上述した実施の形態７では、右扉６Ａ、左扉６Ｂの開いた方の照明装置１０のみを点灯させたが、例えば、照明装置１０の取り付け位置、取り付け角度等によっては、開いた扉と反対方向の内側壁１３に設置した照明装置１０を点灯させても良い。上述した通りＬＥＤ９は指向特性が強いため、例えば、照明装置１０の設置位置によっては、近傍を照射させるより、ある程度遠方を照射するようにした方が照射範囲を広く効率良く照明することが可能な場合がある。そこで、制御手段１００はドアスイッチ２４Ａ、２４Ｂから送信される信号に基づいて、右扉６Ａ、左扉６Ｂが開かれたことを判断し、照明装置１０に対応した照明を行わせる。
【００６６】
図２５は実施の形態６に係るＬＥＤ９による冷蔵室２内の照明について表す図である。図２５（ａ）に示すように、左扉６Ｂを開けた場合は右側の内側壁１３に設置した照明装置１０のＬＥＤ９のみを点灯し、逆に、図２５（ｂ）に示すように、右扉６Ａを開けた場合は左側の内側壁１３に設置した照明装置１０のＬＥＤ９のみを点灯する。また、図２５（ｃ）に示すように、右扉６Ａ及び左扉６Ｂを共に開いた場合は、左右両方の内側壁１３に設置した照明装置１０のＬＥＤ９を点灯することで冷蔵室２全体を照明することができる。
【００６７】
以上のように実施の形態８によれば、右扉６Ａ、左扉６Ｂを有する冷蔵庫１において、例えば、積載棚８と照明装置１０との距離が離れている場合等のような場合において、右扉６Ａ又は左扉６Ｂのどちらか一方が開かれたときに、開かれた扉と反対側の内側壁１３に設置した照明装置１０のＬＥＤ９のみを点灯して、必要な箇所だけ照明するようにしたので、必要以上の電力消費を防ぎ、消費電力が低い冷蔵庫１を得ることができる。
【００６８】
実施の形態９．
図２６は実施の形態９に係る照明装置１０（ＬＥＤ９）による冷蔵室２内の照明について表す図である。上述した実施の形態７及び８では、冷蔵室２の内側壁１３の両側に照明装置１０を設置する例を示した。例えば、冷蔵室２内の容積、ＬＥＤ９の光度等によっては、左右のどちらか一方の内側壁１３に照明装置１０を設ければ、冷蔵室２内全体を照明できる可能性がある。そこで、本実施の形態では、左右のどちらか一方の内側壁１３に照明装置１０を設置するものとする（図２６では左側の内側壁１３に設けている）。
【００６９】
ここで、例えば、照明装置１０の光源に使用するＬＥＤ９の数を、実施の形態７、８のように左右の内側壁１３に照明装置１０を設置した場合のＬＥＤ９の数と同じにすれば、すべてのＬＥＤ９からの総発光量（発光に係るエネルギ）は変化しないから、実施の形態７、８の場合と比べても遜色ない冷蔵室２内を照明するのに十分な発光量を確保できることになる。
【００７０】
また、冷蔵室２内の空間では、各ＬＥＤ９における有効照射範囲αが重複する部分が増えるため、例えば左右の内側壁１３に配置したＬＥＤ９の数と同数のを配置した場合より、明るく見える効果も得られる。そのため、結果として左右の内側壁１３に照明装置１０を設置した場合よりも少ない数のＬＥＤ９で同等の明るさを得られることになり、ＬＥＤ９の使用数を低減することができる。
【００７１】
図２６は左右のどちらか一方の内側壁１３に照明装置１０を設置する場合の制御例を表している。上述した通り、扉を開けた場合に見える範囲のみをＬＥＤ９により照射できれば、必要十分な照明効果が得られる。例えば、左右の内側壁１３に照明装置１０を設置する場合は、開いた扉に応じてどちらか一方の照明装置１０を点灯することで、十分な照明効果と低消費電力が実現できる。例えば、片側の内側壁１３のみに照明装置１０を設置した場合においても、ＬＥＤ９のデューティー比を調整することで、略同等の効果を実現することができる。
【００７２】
ドアスイッチ２４Ａ、２４Ｂからの信号に基づいて、制御手段１００が、左右両方の扉が開いたものと判断すると、上述したデューティー比を１００％として、ＬＥＤ９を発光させる。例えば、一方の扉が開いたものと判断すると、例えばデューティー比を約５０％とした明るさでＬＥＤ９を発光させるようにしてもよい。
【００７３】
また、照明装置１０を設置している側（照明装置１０に近い方）の扉が開かれた場合と反対側（照明装置１０に遠い方）の扉が開かれた場合とで、ＬＥＤ９の光の明るさを異ならせるようにしてもよい。例えば、照明装置１０を設置している側の扉が開かれた場合には、デューティー比を約４０％とした明るさでＬＥＤ９を発光させるようにし、照明装置１０を設置している側と反対側の扉が開かれた場合には、デューティー比を約６０％とした明るさでＬＥＤ９を発光させる。そして、ＬＥＤ９による光の明るさを異ならせることで、開いた扉から見える冷蔵室２内の照明具合が一定になるようにしてもよい。また、デューティー比を調整することで消費電力を抑えることができる。また、照明装置１０との距離に応じてデューティー比を調整する例の外にも、例えば、必要照射範囲の面積に応じてデューティー比を調整するようにしても良い。
【００７４】
以上のように実施の形態９によれば、右扉６Ａ、左扉６Ｂを有する冷蔵庫１において、例えば、右扉６Ａ又は左扉６Ｂのどちらか一方が開かれたときには、両方が開かれたときよりもデューティ比を小さくして、冷蔵室２等を照明する明るさを調整し、必要な箇所だけ照明するようにしたので、必要以上の電力消費を防ぎ、消費電力が低い冷蔵庫１を得ることができる。特に、左右のどちらか一方の内側壁１３に照明装置１０を設置している冷蔵庫１において、開かれた扉が照明装置１０に近い方か遠い方かを判断することにより、デューティ比を変化させるようにすることで、照明具合が一定になるようにする等、細かな調整を行うことができる。
【００７５】
実施の形態１０．
図２７は実施の形態１０に係る冷蔵室２の上面図である。上述した実施の形態では、内側壁１３に対するＬＥＤ９の光軸の角度θを６０°より大きい角度となるように照明装置１０を取り付けることで、ＬＥＤ９の光軸１２が積載棚８の前縁に直接入射しないようにした。本実施の形態では、ＬＥＤ９の光軸１２方向の光が積載棚８に直接入射しないようにするために、内側壁１３に対するＬＥＤ９の光軸１２の角度θを３０°より小さい角度となるように照明装置１０を取り付けるようにする。内側壁１３の形状等によっては、光軸１２の角度θを３０°より小さい角度とした方が有効に積載棚８に直接光軸方向の光が入射しないようにすることができる。また、角度θを３０°より小さくすることで、冷蔵室２全体を照射する際に、凹部１３Ａによる反射光を利用することができ、ムラ等をなくし、バランスのよい照射を行うことができる。
【００７６】
図２８はＬＥＤ９と内側壁１３との関係を表すための図である。内側壁１３に対するＬＥＤ９の光軸の角度θを３０°より小さい角度とした場合の有効照射範囲αは図２７（ａ）のようになる。そして、本実施の形態における内側壁１３に設ける凹部１３Ａの冷蔵室２後方側は、後側湾曲部１３Ｄを有する形状とする。
【００７７】
ＬＥＤ９から発した光について、例えば光軸１２より右方向に進行する光は、図２８（ｂ）に示すように、直接冷蔵室２に入射し、冷蔵室２内を照射する。一方、光軸１２より左方向に進行する光は、図２８（ｃ）に示すように、凹部１３Ａにおいて反射される。ここで、後側湾曲部１３Ｄ以外の部分に入射した光が反射すると冷蔵室２内に入射する。後側湾曲部１３Ｄに入射した光が反射した光は、開かれた扉のドアポケット１１の方向に進行してドアポケット１１を照射する。
【００７８】
このように、ＬＥＤ９の光軸１２の光が積載棚８に直接入射しないので、冷蔵庫１の使用者が積載棚８による反射光で眩しく感じることがない。そして、ＬＥＤ９による光は、冷蔵室２に直接入射する分、内側壁１３により反射した分を含めて、冷蔵室２と開かれた扉６のドアポケット１１とを照明するために用いられる。
【００７９】
図２９は実施の形態１０の凹部１３Ａにおける光の反射対策について表す図である。図２９（ａ）に示すように、特に何もしなければ内側壁１３を反射する光は弱まる。一方、図２９（ｂ）は光の反射率を高めるための高反射材１３Ｃを凹部１３Ａの凹面の全面に付したものである。高反射材１３Ｃを付すことにより、凹部１３Ａの方向に進行する光を効率よく反射させることができる。ここで、高反射材１３Ｃの材料については特に限定しないが、例えばアルミニウム等を材料として、蒸着させる等の処理により高反射材１３Ｃを形成するようにしてもよい。
【００８０】
図２９（ｃ）は凹部１３Ａの後側湾曲部１３Ｄ以外の部分に高反射材１３Ｃを付したものである。前述したように、後側湾曲部１３Ｄの部分で反射した光は開かれた扉のドアポケット１１の方向に進行するが、反射率を高くしすぎると冷蔵室２の前方に反射する光が強くなり、冷蔵庫の使用者が眩しく感じることがある。そこで、後側湾曲部１３Ｄ以外の部分に入射した光は、高反射率で反射させて貯蔵室２内に入射するようにし、後側湾曲部１３Ｄに入射した光は、反射して弱めるようにする。また、図２９（ｄ）に示すように、拡散、減衰等によりドアポケット１１の方向に進行する光を弱めるためのランプカバー２５を設けるようにしてもよい。
【００８１】
図３０は凹部１３Ａの形状を表す図である。図２８等では後側湾曲部１３Ｄを設けることによりドアポケット１１の方向に光が進行するようにしたが、本実施の形態における凹部１３Ａの形状を後側湾曲部１３Ｄに限定するものではない。例えば図３０（ａ）に示すように、１つの傾斜部分を形成した後側傾斜部１３Ｅを有する構造にしてもよいし、図３０（ｂ）に示すように、複数の傾斜部分を形成した後側複数傾斜部１３Ｆを有する構造にしてもよい。
【００８２】
以上のように実施の形態１０によれば、各ＬＥＤ９が発する光の光軸１２と内側壁１３とがなす角度を３０°より小さいものとし、また光軸１２方向の光が積載棚８に直接入射しないようにしたので、実施の形態１と同様に、ＬＥＤ９の光軸１２方向の光が積載棚８の前縁に直接当たることがなく、使用者の眩しさを軽減させることができ、冷蔵室２内の高視認性を確保することができる。このとき、凹部１３Ａ側に進行する光については、反射した光の一部は冷蔵室２内に入射するようにし、また、後側湾曲部１３Ｄ等で反射した光の一部はドアポケット１１を照明するようにすることで、冷蔵室２内及びドアポケット１１を照明することができる。また、凹部１３Ａの扉側以外の凹面に高反射材１３Ｃを設けて反射率を高めるようにすることで、さらに効率のよい照明を行うことができる。
【００８３】
実施の形態１１．
図３１は実施の形態１１に係る冷蔵室２内におけるＬＥＤ９の配置状態を表す図である。上述の各実施の形態で示したＬＥＤ９を光源とする照明装置１０は、冷蔵室２の内側壁１３に設けた凹部１３Ａ内に設置している。そして、ＬＥＤ９を実装したプリント基板１６については、冷蔵室２の上下方向が長手方向となるように設置している。図３１（ａ）に示すように、基本的には、冷蔵室２内の全体を照射するために各ＬＥＤ９ができるだけ等間隔になるように配置している。
【００８４】
ただ、図３１（ａ）の場合、冷蔵室２の中央付近は上下方向の２つのＬＥＤ９からの光による照射がなされるために明るくなるが、冷蔵室２の上下端付近は各々１個のＬＥＤ９の光のみで照射されるため、中央付近に比較して暗くなる。
【００８５】
そこで、本実施の形態では、図３１（ｂ）に示すように、照明装置１０の上下端部ではＬＥＤ９の数を例えば２つに増やして冷蔵室２の上下端付近の明るさを改善する。残りの区間についてはＬＥＤ９を等間隔に配置するようにする。
【００８６】
以上のように実施の形態９によれば、照明装置１０の上下端部におけるＬＥＤ９の数を増やすことにより、上下方向に関する明るさのムラを改善し、冷蔵室２内の明るさを均一にすることができ、安価な構成で効率の良い冷蔵庫１を得ることができる。
【図面の簡単な説明】
【００８７】
【図１】実施の形態１における冷蔵庫１の概略側断面図である。
【図２】冷蔵室２の正面図である。
【図３】一般的なＬＥＤ９の発光特性を表す図である。
【図４】冷蔵室２の上面図である。
【図５】従来の冷蔵庫の上面図である。
【図６】照明装置１０と取り付け部分との関係を上面側からみた図である。
【図７】実施の形態２に係る照明装置１０を表した図である。
【図８】冷蔵室２を上面から見た傾斜部１３Ｂの状態を表す図である。
【図９】冷蔵室２内の天面に照明装置１０を配置した図である。
【図１０】冷蔵室２の天面に配置した照明装置１０を側面から見た図である。
【図１１】ランプカバー１５を用いた場合のＬＥＤ９の光の変化を示す図である。
【図１２】ＬＥＤ９とランプカバー１５との位置関係を表す図である。
【図１３】ランプカバー１５の形状と光の屈折との関係を表す図である。
【図１４】樹脂材料の特徴を表す図である。
【図１５】照明装置１０の冷蔵庫１への組み付け方法を示した図である。
【図１６】吹き出し口２６を含めた冷蔵室２の正面図である。
【図１７】吹き出し口２６を有するランプカバーを表す図である。
【図１８】駆動回路例を表す図である。
【図１９】冷蔵庫の扉に設けられた操作パネルの例を表す図である。
【図２０】ＬＥＤ９の点滅例を表す図である。
【図２１】明るさと点灯時間との関係を表す図である。
【図２２】自己診断異常情報とデューティー比の調整との関係を表す図である。
【図２３】実施の形態５に係る冷蔵庫１Ａの正面図を表す図である。
【図２４】ＬＥＤ９による冷蔵室２内の照明について表す図である。
【図２５】実施の形態６に係る冷蔵室２内の照明について表す図である。
【図２６】実施の形態７に係る冷蔵室２内の照明について表す図である。
【図２７】実施の形態８に係る冷蔵室２の上面図である。
【図２８】ＬＥＤ９と内側壁１３との関係を表すための図である。
【図２９】実施の形態８の光の反射対策について表す図である。
【図３０】凹部１３Ａの形状を表す図である。
【図３１】実施の形態９に係るＬＥＤ９の配置状態を表す図である。
【符号の説明】
【００８８】
１  冷蔵庫、２  冷蔵室、３  切替室、４  野菜室、５  冷凍室、６  ヒンジ式の扉、７  引き出し式の扉、８  積載棚、９  ＬＥＤ、１０  照明装置、１１  ドアポケット、１２  光軸、１３  内側壁、１３Ａ  凹部、１３Ｂ  傾斜部、１３Ｃ  高反射材、１３Ｄ  後側湾曲部、１３Ｅ  後側傾斜部、１３Ｆ  後側複数傾斜部、１４  爪、１５，１７，２５  ランプカバー、１５Ａ  レンズ部、１６  プリント基板、１８  素の光軸、１９  リレー、２０  トランジスタ、２１  操作パネル、２２  液晶表示部、２３  異常表示用ＬＥＤ、２４  ドアスイッチ、２６  吹き出し口、２７  仕切り板、１００  制御手段。
【図１】
2010008017.tif 000003
【図２】
2010008017.tif 000004
【図３】
2010008017.tif 000005
【図４】
2010008017.tif 000006
【図５】
2010008017.tif 000007
【図６】
2010008017.tif 000008
【図７】
2010008017.tif 000009
【図８】
2010008017.tif 000010
【図９】
2010008017.tif 000011
【図１０】
2010008017.tif 000012
【図１１】
2010008017.tif 000013
【図１２】
2010008017.tif 000014
【図１３】
2010008017.tif 000015
【図１４】
2010008017.tif 000016
【図１５】
2010008017.tif 000017
【図１６】
2010008017.tif 000018
【図１７】
2010008017.tif 000019
【図１８】
2010008017.tif 000020
【図１９】
2010008017.tif 000021
【図２０】
2010008017.tif 000022
【図２１】
2010008017.tif 000023
【図２２】
2010008017.tif 000024
【図２３】
2010008017.tif 000025
【図２４】
2010008017.tif 000026
【図２５】
2010008017.tif 000027
【図２６】
2010008017.tif 000028
【図２７】
2010008017.tif 000029
【図２８】
2010008017.tif 000030
【図２９】
2010008017.tif 000031
【図３０】
2010008017.tif 000032
【図３１】
2010008017.tif 000033